(57)【要約】      （修正有）【課題】折り畳み携帯電話機をケースから取り出さずに使用可能で、折り畳み携帯電話機を水や油、汚染、衝撃などから保護することができる折畳み携帯電話機用ケースを提供する。【解決手段】それぞれ細長いほぼ長方形状の、透明な操作面シート１１と背面上側シートと背面下側シートとを有する。背面上側シートは、一端側の内面側の縁部が操作面シート１１の一端側１１ａの内面側の縁部に貼り付けられる。背面下側シートは、一端側の内面側の縁部が背面上側シートの他端側の内面側の縁部に貼り付けられ、他端側の内面側の縁部が操作面シート１１の他端側１１ｂの内面側の縁部に貼り付けられる。操作面シート１１と背面上側シートと背面下側シートとは、操作面シート１１の他端と背面下側シートの他端との間に携帯電話機１を挿入可能な開口１４を有し、開口１４を除いて気密的な袋状に形成される。【選択図】図１
0003150671.tif 000002
【実用新案登録請求の範囲】
【請求項１】
細長い形状を有する透明な操作面シートと、
細長い形状を有し、一端側の内面側の縁部が前記操作面シートの一端側の内面側の縁部に貼り付けられた背面上側シートと、
細長い形状を有し、一端側の内面側の縁部が前記背面上側シートの他端側の前記内面側の縁部に貼り付けられ、他端側の前記内面側の縁部が前記操作面シートの他端側の前記内面側の縁部に貼り付けられた背面下側シートとを有し、
前記操作面シートと前記背面上側シートと前記背面下側シートとは、携帯電話機を挿入可能な開口を有し、前記開口を除いて気密的な袋状に形成されていることを、
特徴とする折畳み携帯電話機用ケース。
【請求項２】
前記操作面シートの他端と前記背面下側シートの他端との間に前記開口を有し、前記背面下側シートの外面側に前記開口に沿って１対の面ファスナーの一方側を有し、前記操作面シートと前記背面上側シートと前記背面下側シートとの内部に携帯電話機を収納した状態で前記面ファスナーの一方側を前記操作面シートの側に折り畳んだとき前記一方側と貼り合せられるよう前記操作面シートの正面側の位置に前記面ファスナーの他方側が設けられていることを、特徴とする請求項１記載の折畳み携帯電話機用ケース。
【請求項３】
前記背面上側シートの外面側の他端付近または前記背面下側シートの外面側の他端付近に前記開口を有することを、特徴とする請求項１記載の折畳み携帯電話機用ケース。
【請求項４】
前記操作面シートおよび前記背面下側シートの両側の縁部に右手または左手で持ったとき指が収まる大きさの凹部を有することを、特徴とする請求項１，２または３記載の折畳み携帯電話機用ケース。
【請求項５】
前記操作面シート、前記背面上側シートおよび前記背面下側シートは、静電気防止材を含むポリオレフィン樹脂から成り、蓄光シートまたは光反射材が貼り付けられ、蓄光性を有する吊下げ用チェーンが取り付けられていることを、特徴とする請求項１，２,３または４記載の折畳み携帯電話機用ケース。
【考案の詳細な説明】
【技術分野】
【０００１】
本考案は、折畳み携帯電話機用ケースに関する。
【背景技術】
【０００２】
従来の携帯電話機用ケースとして、柔軟な熱可塑性樹脂シートからなる略矩形の前面パネルと背面パネルとをその周縁の左右辺および下辺に沿って互いに溶着し、周縁の上辺に沿って防水ファスナーを設けて入口を密封可能にしたものがある（例えば、特許文献１参照）。
【先行技術文献】
【特許文献】
【０００３】
【特許文献１】特開２００２−３２０５１１号公報
【考案の概要】
【考案が解決しようとする課題】
【０００４】
特許文献１に記載の携帯電話機用ケースによれば、携帯電話機を衝撃や水濡れから保護することができるが、折り畳み携帯電話機に使用する場合、ケースが携帯電話機の折り畳みのじゃまになるため、折り畳んだ状態でケースに収容しなければならなかった。このため、使用するたびに携帯電話機をケースから取り出して開いて使用しなければならず、使い勝手が悪いという課題があった。
【０００５】
本考案は、このような課題に着目してなされたもので、折り畳み携帯電話機をケースから取り出さずに使用可能で、折り畳み携帯電話機を水や油、汚染、衝撃などから保護することができる折畳み携帯電話機用ケースを提供することを目的とする。
【課題を解決するための手段】
【０００６】
上記目的を達成するために、本考案に係る折畳み携帯電話機用ケースは、細長い形状を有する透明な操作面シートと、細長い形状を有し、一端側の内面側の縁部が前記操作面シートの一端側の内面側の縁部に貼り付けられた背面上側シートと、細長い形状を有し、一端側の内面側の縁部が前記背面上側シートの他端側の前記内面側の縁部に貼り付けられ、他端側の前記内面側の縁部が前記操作面シートの他端側の前記内面側の縁部に貼り付けられた背面下側シートとを有し、前記操作面シートと前記背面上側シートと前記背面下側シートとは、携帯電話機を挿入可能な開口を有し、前記開口を除いて気密的な袋状に形成されていることを、特徴とする。
【０００７】
本考案に係る折畳み携帯電話機用ケースは、開いた折畳み携帯電話機の上側を開口から透明な操作面シートと背面上側シートとの間の袋に収容し、折畳み携帯電話機の下側を透明な操作面シートと背面下側シートとの間の袋に収容して使用する。従来技術の２枚のシートから成る携帯電話機用ケースの場合、折畳み携帯電話機を開いた状態で収容し、携帯電話機を折り畳もうとすると、折り畳まれる携帯電話機の外側のシートの方が内側のシートより伸ばされてシートが歪むため、その状態では使用し難かった。
【０００８】
これに対し、本考案に係る折畳み携帯電話機用ケースは、折畳み携帯電話機の内側面を透明な操作面シートが覆い、開いた折畳み携帯電話機の上部の背面側を背面上側シートが覆い、折畳み携帯電話機の下部の背面側を背面下側シートが覆うことから、折畳み携帯電話機の開閉の際に外側のシートが歪みにくくなっている。このため、折り畳み携帯電話機をケースから取り出さずに収容したまま折り畳んだり開いたり使用可能で、折り畳み携帯電話機を水や油、汚染、衝撃などから保護することができる。
本考案に係る折畳み携帯電話機用ケースの開口には、面ファスナーまたは線ファスナー等が取り付けられて、ケースを密閉可能となっていることが好ましい。
【０００９】
本考案に係る折畳み携帯電話機用ケースは、前記操作面シートの他端と前記背面下側シートの他端との間に前記開口を有し、前記背面下側シートの外面側に前記開口に沿って１対の面ファスナーの一方側を有し、前記操作面シートと前記背面上側シートと前記背面下側シートとの内部に携帯電話機を収納した状態で前記面ファスナーの一方側を前記操作面シートの側に折り畳んだとき前記一方側と貼り合せられるよう前記操作面シートの正面側の位置に前記面ファスナーの他方側が設けられていることが好ましい。
この構成では、開口から折畳み携帯電話機を収容した後、面ファスナーの一方側を操作面シートの側に折り畳んで１巻きした状態で面ファスナーの他方側に貼り合せることにより、開口からの水や油、埃などの浸入を防ぎ、折り畳み携帯電話機を保護することができる。
【００１０】
本考案に係る折畳み携帯電話機用ケースは、前記背面上側シートの外面側の他端付近または前記背面下側シートの外面側の他端付近に前記開口を有していてもよい。
この構成では、折畳み携帯電話機を折り曲げた状態で、開口から開いた折畳み携帯電話機の上側を透明な操作面シートと背面上側シートとの間の袋に、折畳み携帯電話機の下側を透明な操作面シートと背面下側シートとの間の袋に同時に収容することができるので、開いた折畳み携帯電話機を端からケース内に収容する場合に比べて、収容しやすい。
【００１１】
本考案に係る折畳み携帯電話機用ケースは、前記操作面シートおよび前記背面下側シートの両側の縁部に右手または左手で持ったとき指が収まる大きさの凹部を有することが好ましい。
この構成では、折畳み携帯電話機を収容して右手または左手で持ったとき、凹部に指が収まって持ちやすく、かつケースが滑りにくい。
【００１２】
本考案に係る折畳み携帯電話機用ケースは、前記操作面シート、前記背面上側シートおよび前記背面下側シートは、静電気防止材を含むポリオレフィン樹脂から成り、蓄光シートまたは光反射材が貼り付けられ、蓄光性を有する吊下げ用チェーンが取り付けられていることが好ましい。
この構成では、操作面シート、背面上側シートおよび背面下側シートがポリオレフィン樹脂から成るため、（１）劣化によるひび割れを生じにくい、（２）操作面シートを透して内部の携帯電話機の画面が見やすい、（３）内部の携帯電話機への密着力が強い、（４）落下の衝撃に強い、（５）防水性が高い、といった効果がある。また、ポリオレフィン樹脂には静電気防止材が含まれるため、静電気で埃を吸着して汚れるのを抑えることができる。また、蓄光シートまたは光反射材と、蓄光性を有する吊下げ用チェーンにより、夜間に目立って見つけやすい。
【考案の効果】
【００１３】
本考案によれば、折り畳み携帯電話機をケースから取り出さずに使用可能で、折り畳み携帯電話機を水や油、汚染、衝撃などから保護することができる折畳み携帯電話機用ケースを提供することができる。
【図面の簡単な説明】
【００１４】
【図１】本考案の実施の形態の折畳み携帯電話機用ケースに折畳み携帯電話機を収容して携帯電話機を開いた状態の正面図である。
【図２】図１の背面図である。
【図３】本考案の実施の形態の折畳み携帯電話機用ケースに折畳み携帯電話機を収容して携帯電話機を折り畳んだ状態の正面図である。
【図４】図３の背面図である。
【考案を実施するための形態】
【００１５】
以下、図面に基づき、本考案の実施の形態について説明する。
図１乃至図４は、本考案の実施の形態の折畳み携帯電話機用ケースを示している。
図１乃至図４に示すように、本考案の実施の形態の折畳み携帯電話機用ケース１０は、操作面シート１１と背面上側シート１２と背面下側シート１３とを有している。操作面シート１１、背面上側シート１２および背面下側シート１３は、静電気防止材を含むポリオレフィン樹脂から成っている。
【００１６】
操作面シート１１は、透明で、細長いほぼ長方形状を有している。操作面シート１１は、折畳み携帯電話機１を開いた状態の長さより長く、折畳み携帯電話機１の幅より幅が広い。操作面シート１１は、一端側１１ａの幅を折畳み携帯電話機１の上側１ａの幅に合わせ、他端側１１ｂの幅を折畳み携帯電話機1の下側１ｂの幅に合わせてあるため、一端側１１ａの幅が他端側１１ｂの幅より狭くなっている。
【００１７】
背面上側シート１２は、細長いほぼ長方形状を有し、操作面シート１１の約半分の長さで、操作面シート１１の一端側１１ａの幅と同じ幅を有している。背面上側シート１２は、一端側１２ａの内面側の縁部が操作面シート１１の一端側１１ａの内面側の縁部に溶着により貼り付けられている。背面下側シート１３は、細長いほぼ長方形状を有し、操作面シート１１の約４分の３の長さで、操作面シート１１の他端側１１ｂの幅と同じ幅を有している。背面下側シート１３は、一端側１３ａの内面側の縁部が背面上側シート１２の他端側１２ｂの内面側の縁部に溶着により貼り付けられ、他端側１３ｂの内面側の縁部が操作面シート１１の他端側１１ｂの内面側の縁部に溶着により貼り付けられている。
これにより、操作面シート１１と背面上側シート１２と背面下側シート１３とは、操作面シート１１の他端と背面下側シート１３の他端との間に携帯電話機１を挿入可能な開口１４を有し、開口１４を除いて気密的な袋状に形成されている。
【００１８】
操作面シート１１および背面下側シート１３は、両側の縁部に右手または左手で持ったとき指が収まる大きさの円弧状の凹部１５を片側に３個ずつ有している。背面上側シート１２の他端側１２ｂと背面下側シート１３の一端側１３ａには、幅方向に並んだ２つの取付け孔１６を有している。取付け孔１６には、取付け具１７ａにより輪にした吊下げ用チェーン１７が取り付けられている（図３参照）。吊下げ用チェーン１７は、蓄光性を有し、明るいところで蓄光し暗いところで発光するようになっている。吊下げ用チェーン１７は、作業中の安全のため、２ｋｇ／ｎの力で外れるようになっている。
【００１９】
折畳み携帯電話機用ケース１０は、細長い帯状の１対の面ファスナー１８ａ，１８ｂを有している。面ファスナーの一方側１８ａは、フック面から成り、背面下側シート１３の外面側１３ｃに開口１４に沿って貼り付けられている。面ファスナーの他方側１８ｂは、ループ面から成り、操作面シート１１と背面上側シート１２と背面下側シート１３との内部に携帯電話機１を収納した状態で面ファスナーの一方側１８ａを操作面シート１１の側に一方側１８ａの幅で折り畳んだとき一方側１８ａと貼り合せられるよう操作面シート１１の正面側１１ｄの位置に貼り付けられている。
背面下側シート１３の外側面１３ｃには、一端側１３ａの位置に光反射材１９が貼り付けられている。
【００２０】
次に作用について説明する。
折畳み携帯電話機用ケース１０は、開いた折畳み携帯電話機１の上側１ａを開口１４から透明な操作面シート１１と背面上側シート１２との間の袋に収容し、折畳み携帯電話機１の下側１ｂを透明な操作面シート１１と背面下側シート１３との間の袋に収容して使用する。開口１４から折畳み携帯電話機１を収容した後、面ファスナーの一方側１８ａを操作面シート１１の側に折り畳んで１巻きした状態で面ファスナーの他方側１８ｂに貼り合せることにより、開口からの水や油、埃などの浸入を防ぎ、折り畳み携帯電話機を保護することができる。
【００２１】
従来技術の２枚のシートから成る携帯電話機用ケースの場合、折畳み携帯電話機１を開いた状態で収容し、携帯電話機１を折り畳もうとすると、折り畳まれる携帯電話機１の外側のシートの方が内側のシートより伸ばされてシートが歪むため、その状態では使用し難かった。
【００２２】
これに対し、折畳み携帯電話機用ケース１０は、折畳み携帯電話機１の内側面を透明な操作面シート１１が覆い、開いた折畳み携帯電話機１の上部１ａの背面側を背面上側シート１２が覆い、折畳み携帯電話機１の下部１ｂの背面側を背面下側シート１３が覆うことから、折畳み携帯電話機１の開閉の際に外側のシートが歪みにくくなっている。このため、折り畳み携帯電話機１をケースから取り出さずに収容したまま折り畳んだり開いたり使用可能で、折り畳み携帯電話機１を水や油、汚染、衝撃などから保護することができる。
【００２３】
また、折畳み携帯電話機用ケース１０は両側の縁部に右手または左手で持ったとき指が収まる大きさの円弧状の凹部１５を有しているので、折畳み携帯電話機１を収容して右手または左手で持ったとき、凹部１５に指が収まって持ちやすく、かつケースが滑りにくい。
折畳み携帯電話機用ケース１０は、操作面シート、背面上側シートおよび背面下側シートがポリオレフィン樹脂から成るため、劣化によるひび割れを生じにくくなっている。ポリオレフィン樹脂には静電気防止材が含まれるため、静電気で埃を吸着して汚れるのを抑えることができる。また、光反射材１９および蓄光性を有する吊下げ用チェーン１７により、夜間に目立って見つけやすくなっている。操作面シート１１、背面上側シート１２または背面下側シート１３には、蓄光シートが貼り付けられていてもよく、あるいは全体が蓄光性を有していてもよい。この場合、夜間に、より目立って見つけやすくすることができ、交通事故防止にも役立つ。
【００２４】
なお、折畳み携帯電話機用ケース１０は、操作面シート１１の他端と背面下側シート１３の他端との間に開口１４を有する代わりに、背面上側シート１２の外面側の他端付近または背面下側シート１３の外面側の他端付近に開口２０（図４参照）を有していてもよい。開口２０は、線ファスナーにより開閉可能であることが好ましい。この場合、折畳み携帯電話機１を折り曲げた状態で、開口２０から開いた折畳み携帯電話機１の上側１ａを透明な操作面シート１１と背面上側シート１２との間の袋に、折畳み携帯電話機１の下側１ｂを透明な操作面シート１１と背面下側シート１３との間の袋に同時に収容することができるので、開いた折畳み携帯電話機１を端からケース内に収容する場合に比べて、収容しやすい。
【００２５】
背面上側シート１２および背面下側シート１３は、透明でも不透明であってもよく、種々の着色、デザインがなされていてもよい。
【符号の説明】
【００２６】
１０  折畳み携帯電話機用ケース
１１  操作面シート
１２  背面上側シート
１３  背面下側シート
１４  開口
１５  凹部
１６取付け孔
１７  吊下げ用チェーン
１８ａ，１８ｂ  １対の面ファスナー
１９  光反射材
【図１】
0003150671.tif 000003
【図２】
0003150671.tif 000004
【図３】
0003150671.tif 000005
【図４】
0003150671.tif 000006